(57)【要約】【課題】印刷装置の処理負担を軽減しつつジョブ履歴を生成、管理することができる印刷システムを提供する。【解決手段】ＰＣ１０に実現されたジョブ生成装置では、アプリケーションソフトウェアから印刷対象である画像データと印刷指示とを含む印刷ジョブが入力されると、この画像データから印刷装置１２が解釈可能な印刷データを生成し、印刷装置１２に送信する。また、印刷装置１２に送信した印刷ジョブの実行がエラー発生無しに正常に終了することを仮定したジョブ履歴情報も生成し、印刷装置１２に送信する。印刷装置１２では、上記印刷ジョブを実行して、画像データを印刷出力するとともに、印刷動作が正常終了した場合に、ジョブ生成装置から受信したジョブ履歴情報を記憶し、印刷動作が正常終了しなかった場合に、上記ジョブ履歴情報を修正して記憶する。【選択図】図１
2007199788.tif 000002
【特許請求の範囲】
【請求項１】
印刷ジョブを生成するジョブ生成装置と印刷データを印刷出力する印刷装置とを含む印刷システムであって、
前記ジョブ生成装置は、
前記印刷データを生成する印刷データ生成手段と、
印刷動作の正常終了を仮定したジョブ履歴情報を生成するジョブ履歴生成手段と、
を備え、
前記印刷装置は、
前記印刷データを受け取って、印刷出力する画像形成手段と、
印刷動作が正常終了した場合に、前記ジョブ履歴情報を記憶するジョブ履歴記憶手段と、
を備えることを特徴とする印刷システム。
【請求項２】
請求項１記載の印刷システムにおいて、前記ジョブ生成装置は、前記ジョブ履歴情報を圧縮することを特徴とする印刷システム。
【請求項３】
請求項１または請求項２記載の印刷システムにおいて、前記印刷装置は、印刷動作が正常終了しなかった場合に、前記ジョブ履歴情報を修正するジョブ履歴修正手段を備え、前記ジョブ履歴記憶手段は、前記修正されたジョブ履歴情報を記憶することを特徴とする印刷システム。
【請求項４】
請求項３記載の印刷システムにおいて、前記ジョブ履歴修正手段は、前記修正されたジョブ履歴情報を圧縮して前記ジョブ履歴記憶手段に記憶させることを特徴とする印刷システム。
【請求項５】
請求項１から請求項４のいずれか一項記載の印刷システムにおいて、前記ジョブ生成装置は、前記印刷データを含む印刷ジョブと前記ジョブ履歴生成手段が生成したジョブ履歴情報とを前記印刷装置に送信する送信手段を有し、前記印刷装置は、この印刷ジョブ及びジョブ履歴情報を受信する受信手段を有することを特徴とする印刷システム。
【請求項６】
請求項１から請求項５のいずれか一項記載の印刷システムにおいて、前記ジョブ履歴記憶手段は、不揮発性メモリであることを特徴とする印刷システム。
【発明の詳細な説明】
【技術分野】
【０００１】
本発明は、印刷ジョブの履歴情報を生成、記憶する印刷システムの改良に関する。
【背景技術】
【０００２】
従来より、印刷ジョブの履歴を生成、管理することができる印刷装置が多数実用化されている。また、記憶装置に記憶した履歴情報のデータ量が増大した場合に、これを圧縮することも容易に行うことができる。
【０００３】
例えば、下記特許文献１には、メモリの使用量が所定量を超えた場合に、最も使用履歴の古いデータを圧縮してメモリの未使用エリアに保存する技術が開示されている。
【特許文献１】特開平５−２１２９１７号公報
【発明の開示】
【発明が解決しようとする課題】
【０００４】
しかし、上記従来の技術においては、印刷ジョブの実行中または実行後にジョブ履歴情報を生成しているので、印刷装置の処理負担が大きい。特に、特許文献１の技術を応用すると、メモリの使用量が所定量を超えたときに圧縮処理を実行することになるので、画像展開処理中または印刷処理中等に圧縮処理を行う場合があり、印刷装置の画像展開処理または印刷処理が遅延するという問題があった。
【０００５】
本発明は、上記従来の課題に鑑みなされたものであり、その目的は、印刷装置の処理負担を軽減しつつジョブ履歴を生成、管理することができる印刷システムを提供することにある。
【課題を解決するための手段】
【０００６】
上記目的を達成するために、本発明は、印刷ジョブを生成するジョブ生成装置と印刷データを印刷出力する印刷装置とを含む印刷システムであって、前記ジョブ生成装置は、前記印刷データを生成する印刷データ生成手段と、印刷動作の正常終了を仮定したジョブ履歴情報を生成するジョブ履歴生成手段と、を備え、前記印刷装置は、前記印刷データを受け取って、印刷出力する画像形成手段と、印刷動作が正常終了した場合に、前記ジョブ履歴情報を記憶するジョブ履歴記憶手段と、を備えることを特徴とする。
【０００７】
ここで、上記ジョブ生成装置は、前記ジョブ履歴情報を圧縮することを特徴とする。
【０００８】
また、上記印刷装置は、印刷動作が正常終了しなかった場合に、前記ジョブ履歴情報を修正するジョブ履歴修正手段を備え、前記ジョブ履歴記憶手段は、前記修正されたジョブ履歴情報を記憶することを特徴とする。
【０００９】
また、上記ジョブ履歴修正手段は、前記修正されたジョブ履歴情報を圧縮して前記ジョブ履歴記憶手段に記憶させることを特徴とする。
【００１０】
また、上記ジョブ生成装置は、前記印刷データを含む印刷ジョブと前記ジョブ履歴生成手段が生成したジョブ履歴情報とを前記印刷装置に送信する送信手段を有し、前記印刷装置は、この印刷ジョブ及びジョブ履歴情報を受信する受信手段を有することを特徴とする。
【００１１】
また、上記ジョブ履歴記憶手段は、不揮発性メモリであることを特徴とする。
【発明を実施するための最良の形態】
【００１２】
以下、本発明を実施するための最良の形態（以下、実施形態という）を、図面に従って説明する。
【００１３】
図１には、本発明にかかる印刷システムの構成例のブロック図が示される。図１において、印刷ジョブを生成するジョブ生成装置としてパーソナルコンピュータ（ＰＣ）１０と印刷装置１２とが通信手段１４等を介して接続されている。この通信手段１４は、例えばイーサネット（登録商標）等のネットワークでもよいし、ＩＥＥＥ１２８４等のローカル接続手段でもよい。ユーザがＰＣ１０で作成した画像データは、印刷指示命令等とともに印刷ジョブとして印刷装置１２に送信される。
【００１４】
図２には、ＰＣ１０に実現されたジョブ生成装置の各機能を表す機能ブロック図が示される。図２において、ジョブ生成装置１６は、制御部１８、印刷データ生成部２０、ジョブ履歴生成部２２及びデータ送信部２４を含んで構成されている。
【００１５】
制御部１８は、ＣＰＵ（中央処理装置）等により構成され、アプリケーションソフトウェアからの指示により、印刷データ生成部２０、ジョブ履歴生成部２２及びデータ送信部２４とデータのやり取りを行いながらこれらの動作を制御する。
【００１６】
印刷データ生成部２０は、アプリケーションソフトウェアが生成した画像データを制御部１８を介して受け取り、印刷装置１２が解釈できる形式の印刷データに変換する。
【００１７】
ジョブ履歴生成部２２は、印刷データ生成部２０が生成した上記印刷データを印刷装置１２が印刷出力する際に、エラーが発生することなしに正常終了することを仮定したジョブ履歴情報を生成する。また、ジョブ履歴生成部２２は、上記生成したジョブ履歴情報を圧縮処理するように構成するのが好適である。
【００１８】
データ送信部２４は、印刷データ生成部２０が生成した上記印刷データを含む印刷ジョブ及びジョブ履歴生成部２２が生成した上記ジョブ履歴情報を、通信手段１４を介して印刷装置１２に送信する。
【００１９】
図３には、本発明にかかる印刷装置１２の構成例のブロック図が示される。図３において、印刷装置１２は、通信インターフェース２６、画像形成装置２８、ＣＰＵ３０、ＲＯＭ（リードオンリーメモリ）３２、ＲＡＭ（ランダムアクセスメモリ）３４及び不揮発性メモリ３６を含んで構成されている。
【００２０】
通信インターフェース２６は、上記通信手段１４に接続され、ＰＣ１０と印刷ジョブ等のデータの送受信処理を行う。
【００２１】
画像形成装置２８は、プリンタエンジン等を含んで構成され、上記ＰＣ１０から通信インターフェース２６を介して受信した画像データの印刷出力等を行う。
【００２２】
ＣＰＵ３０は、ＲＯＭ３２に格納されたプログラムを実行し、通信インターフェース２６、画像形成装置２８、ＲＡＭ３４及び不揮発性メモリ３６とデータのやり取りを行いながらこれらの動作を制御する。
【００２３】
ＲＯＭ３２は、読み出し専用の不揮発性メモリであり、ＣＰＵ３０等が実行するプログラムやデータ等を記憶する。
【００２４】
ＲＡＭ３４は、ＣＰＵ３０の作業用メモリ（主記憶装置）として機能する読み書き可能な揮発性メモリであり、通信インターフェース２６を介して受信したデータや、ＣＰＵ３０により展開された画像データ等を記憶する。
【００２５】
不揮発性メモリ３６は、読み書き可能な不揮発性メモリであり、ＥＥＰＲＯＭ、フラッシュメモリ等で構成され、印刷装置１２が印刷ジョブを実行する際のジョブ履歴情報を記憶する。
【００２６】
図４には、上記図３に示された印刷装置１２の各機能を表す機能ブロック図が示される。図４において、印刷装置１２は、通信部３８、制御部４０、画像展開処理部４２、画像記憶部４４、印刷処理部４６、画像形成部４８、エラー検出部５０、履歴情報管理部５２、履歴情報修正部５４、履歴情報保持部５６及び履歴記憶部５８を含んで構成されている。
【００２７】
通信部３８は、通信インターフェース２６及びＣＰＵ３０により実現され、通信手段１４を介してＰＣ１０と印刷ジョブ等のデータを送受信する。受信したデータは画像展開処理部４２または履歴情報管理部５２に出力する。また、データの入力を検出して制御部４０に通知する。
【００２８】
制御部４０は、ＣＰＵ３０により実現され、通信部３８からデータ受信の通知を受けると、当該受信データの種別を判定する。この判定処理の結果、受信データが印刷ジョブである場合には、画像展開処理部４２に画像展開処理の開始を通知する。また、画像展開処理部４２から画像展開終了通知を受けると、印刷処理部４６に印刷処理の開始を通知する。また、印刷処理部４６から印刷終了通知を受けると履歴情報管理部５２に通知する。画像展開処理中や印刷処理中にエラー検出部５０からのエラー発生・解消通知を受けると画像展開処理部４２や印刷処理部４６を停止または再開する。一方、上記判定処理の結果、受信データがジョブ履歴情報である場合には、通信部３８に対して履歴情報管理部５２に当該ジョブ履歴情報を渡すように指示する。
【００２９】
画像展開処理部４２は、ＣＰＵ３０により実現され、制御部４０から画像展開処理の開始通知を受け、通信部３８から印刷データを受け取って画像展開処理を行い、印刷処理部４６で処理可能な画像データを生成する。この展開処理後の画像データは、画像記憶部４４に格納する。
【００３０】
画像記憶部４４は、ＣＰＵ３０及びＲＡＭ３４により実現され、画像展開処理部４２が生成した展開処理後の画像データを格納する。また、印刷処理部４６による上記画像データの読み出しが終了した後、その画像データを削除する。
【００３１】
印刷処理部４６は、ＣＰＵ３０により実現され、制御部４０からの印刷処理の開始通知により画像記憶部４４から上記画像データを読み出し、画像形成部４８を制御して印刷媒体上に画像形成（印刷出力）を行わせる。
【００３２】
画像形成部４８は、ＣＰＵ３０及び画像形成装置２８により実現され、上記印刷処理部４６の制御動作に基づき、上記画像データを印刷媒体上に印刷出力する。
【００３３】
エラー検出部５０は、ＣＰＵ３０により実現され、上記画像展開処理から印刷出力までの印刷ジョブの実行中におけるエラーの発生の有無及びエラーの解消を検出して制御部４０と履歴情報管理部５２に検出結果を通知する。
【００３４】
履歴情報管理部５２は、ＣＰＵ３０により実現され、通信部３８から受け取った現在実行中の印刷ジョブの履歴情報を以下のように管理する。すなわち、エラー検出部５０からエラー発生通知を受け取ると、履歴情報修正部５４にジョブ履歴情報の修正を指示し、また、通信部３８及び履歴情報修正部５４から受け取ったジョブ履歴情報を履歴情報保持部５６に出力する。また、制御部４０から印刷正常終了（エラーの発生無し）通知を受け取ると、正常に印刷終了したページを計数する。
【００３５】
履歴情報修正部５４は、ＣＰＵ３０により実現され、エラー検出部５０からエラー発生通知を受け取った際に履歴情報管理部５２が出力する上記修正指示に基づき、現在発生中のエラーが解消された後、その他にエラーが発生することなしに印刷ジョブの実行が終了することを仮定したジョブ履歴情報を生成し、履歴情報管理部５２に出力する。この場合、履歴情報修正部５４は、ジョブ生成装置１６のジョブ履歴生成部２２が生成し、通信部３８を介して履歴情報管理部５２が受け取ったジョブ履歴情報と相違する部分のみ履歴情報を生成し、これにより上記ジョブ履歴情報を一部修正する構成とするのが好適である。これにより、ジョブ履歴情報の生成処理を軽減することができるからである。なお、上記ジョブ履歴生成部２２が生成したジョブ履歴情報が圧縮されている場合は、これを伸張し、修正後再度圧縮する構成とする。また、通信部３８が受信したデータにジョブ履歴情報が含まれていなかった場合には、正常終了することを仮定したジョブ履歴情報を生成して履歴情報管理部５２に出力する。このジョブ履歴情報は、履歴情報修正部５４が圧縮処理を行うのが好適である。
【００３６】
履歴情報保持部５６は、ＣＰＵ３０及びＲＡＭ３４により実現され、履歴情報管理部５２からジョブ履歴情報を受け取り、予測終了履歴情報として保持する。予測終了履歴情報とは、上述したように、現在実行中のジョブが正常終了し、または一部エラーが発生した後、その他のエラーの発生なく終了することを仮定して作成したジョブ履歴情報である。この予測終了履歴情報は、上述したように、圧縮されていてもよい。履歴情報保持部５６は、印刷ジョブの実行が終了すると、予測終了履歴情報を履歴記憶部５８にジョブ履歴情報として記憶させる。
【００３７】
履歴記憶部５８は、不揮発性メモリ３６により実現され、ジョブの実行が終了した後、履歴情報保持部５６からジョブ履歴情報を受け取って記憶する。
【００３８】
図５には、図２に示されたジョブ生成装置１６の動作例のフローが示される。図５において、待機中のジョブ生成装置１６にアプリケーションソフトウェアから印刷対象である画像データと印刷指示とを含む印刷ジョブが入力されると（Ｓ１０１）、制御部１８の指示により印刷データ生成部２０にて上記画像データから印刷装置１２が解釈可能な印刷データの生成を行う（Ｓ１０２）。印刷データ生成部２０は、生成した印刷データを上記印刷指示とともに印刷ジョブとして順次データ送信部２４に出力する。データ送信部２４は、この印刷ジョブを通信手段１４に出力して印刷装置１２に送信する（Ｓ１０３）。
【００３９】
Ｓ１０２及びＳ１０３の処理は、画像データの最終ページからの印刷データの生成が終了するまで繰り返す（Ｓ１０４）。
【００４０】
上記最終ページからの印刷データの生成が終了すると、制御部１８の指示によりジョブ履歴生成部２２がジョブ履歴情報を生成する（Ｓ１０５）。ここでいうジョブ履歴情報とは、文書名、データ送信日時、総ページ数、カラー／モノクロ種別、エラー発生の有無などを含む。このとき生成するジョブ履歴情報は、送信した印刷データの処理がエラー発生無しに正常に終了することを仮定したものである。すなわち、エラー発生が無しの状態でジョブ履歴情報が生成される。
【００４１】
次に、ジョブ履歴生成部２２は、生成したジョブ履歴情報を可逆圧縮する（Ｓ１０６）。ここで用いる圧縮アルゴリズムはＨｕｆｆｍａｎ符号化などの一般的なものを用いることが可能である。
【００４２】
最後に、圧縮した上記ジョブ履歴情報を、データ送信部２４を介して印刷装置１２に送信し（Ｓ１０７）、処理を終了する。
【００４３】
図６及び図７には、印刷装置１２における画像展開処理の動作例のフローが示され、図８及び図９には、印刷装置１２における印刷処理の動作例のフローが示される。印刷装置１２では、図６、図７に示される画像展開処理と、図８、図９に示される印刷処理が平行動作することで、受信した印刷データを画像展開し、印刷している。
【００４４】
図６及び図７において、通信部３８がジョブ生成装置１６からの受信データを検出すると（Ｓ２０１）、制御部４０がデータ種別の判定を行い、受信データがジョブ履歴情報か否かを判断する（Ｓ２０２）。
【００４５】
データ種別の判定の結果、ジョブ履歴情報ではなかった場合、制御部４０は画像展開処理部４２に、通信部３８が受信した印刷データの画像展開処理を行わせる（Ｓ２０３）。
【００４６】
上記画像展開処理中に、エラー検出部５０がエラーの発生の有無を監視し（Ｓ２０４）、画像展開処理が正常に終了した場合、展開後の画像データを画像記憶部４４に記憶させる（Ｓ２０５）。ここで、画像記憶部４４に記憶した画像データは、後述する印刷処理により印刷され、印刷終了後消去される。
【００４７】
一方、Ｓ２０４において画像展開処理が正常に終了しなかった場合には、エラー検出部５０が制御部４０にエラーの発生を通知する（Ｓ２０６）。制御部４０は、このエラー発生通知を受けると、履歴情報保持部５６が既にジョブ履歴情報を保持しているかどうかを確認する（Ｓ２０７）。履歴情報保持部５６がジョブ履歴情報を保持していない場合は、制御部４０が履歴情報管理部５２に指示し、履歴情報修正部５４に、現在発生しているエラーが解消された後、その他にエラーが発生することなしに印刷ジョブが終了することを仮定してジョブ履歴情報を生成させる（Ｓ２０８）。また、Ｓ２０７において、履歴情報保持部５６がジョブ履歴情報を保持している場合は、履歴情報管理部５２が履歴情報修正部５４に、現在発生しているエラーが解消された後、その他にエラーが発生することなしに印刷ジョブが終了することを仮定して、上記履歴情報保持部５６に保持されたジョブ履歴情報を修正させる（Ｓ２０９）。生成または修正後のジョブ履歴情報は、履歴情報修正部５４が可逆圧縮し（Ｓ２１０）、圧縮後のジョブ履歴情報を履歴情報保持部５６に予測終了履歴情報として保持させる（Ｓ２１１）。
【００４８】
その後、制御部４０が、エラーが解消したか否かを確認し（Ｓ２１２）、エラーの解消後、Ｓ２０１に戻って通信部３８にデータの受信を再開させる。エラーの解消の確認は、エラー検出部５０からのエラー解消通知の有無により行う。
【００４９】
一方、Ｓ２０２において、データ種別の判定の結果、ジョブ履歴情報と判定した場合、制御部４０は、履歴情報保持部５６が既にジョブ履歴情報を保持しているかどうかを確認する（Ｓ２１３）。履歴情報保持部５６がジョブ履歴情報を保持していない場合は、通信部３８が受信したジョブ履歴情報を履歴情報保持部５６にて保持する（Ｓ２１４）。この場合のジョブ履歴情報は、図５のＳ１０６に示されるように、ジョブ履歴生成部２２により圧縮されたデータである。
【００５０】
また、Ｓ２１３において、履歴情報保持部５６が既にジョブ履歴情報を保持している場合には、通信部３８が受信したジョブ履歴情報は破棄する。その後、Ｓ２０１に戻ってデータの受信を継続する。
【００５１】
次に、印刷処理について説明する。図８及び図９において、制御部４０が画像展開処理部４２から画像展開終了通知を受けると（Ｓ３０１）、印刷処理部４６に印刷処理の開始通知を行い、画像形成部４８による印刷処理を開始する（Ｓ３０２）。
【００５２】
上記印刷処理中に、エラー検出部５０がエラーの発生の有無を監視し（Ｓ３０３）、印刷処理がエラーの発生無く正常に終了した場合には、印刷の正常終了を制御部４０から履歴情報管理部５２に通知する（Ｓ３０４）。履歴情報管理部５２は、正常に印刷終了したページを計数する。画像展開処理部４２が展開処理した画像データの全ページの印刷が終了すると（Ｓ３０５）、制御部４０は、履歴情報保持部５６が既にジョブ履歴情報を保持しているかどうかを確認する（Ｓ３０６）。履歴情報保持部５６がジョブ履歴情報を保持していない場合は、制御部４０が履歴情報管理部５２に指示し、履歴情報修正部５４に、エラーが発生することなしに印刷ジョブが終了することを仮定してジョブ履歴情報を生成させる（Ｓ３０７）。生成後のジョブ履歴情報は、履歴情報修正部５４が可逆圧縮し（Ｓ３０８）、履歴情報保持部５６に予測終了履歴情報として保持させる。また、Ｓ３０６において、履歴情報保持部５６がジョブ履歴情報を保持している場合は、Ｓ３０７とＳ３０８の動作を省略する。
【００５３】
次に、履歴情報保持部５６が保持するジョブ履歴情報（予測終了履歴情報）を履歴記憶部５８が記憶し（Ｓ３０９）、Ｓ３０１からの動作を繰り返す。このとき、履歴情報保持部５６では、保持中の情報を破棄する。また、Ｓ３０５において、上記全ページの印刷終了ではなかった場合は、履歴記憶部５８がジョブ履歴情報を記憶せずにＳ３０１からの動作を繰り返す。
【００５４】
一方、Ｓ３０３において印刷処理が正常に終了しなかった場合には、エラー検出部５０が制御部４０にエラーの発生を通知する（Ｓ３１０）。制御部４０は、このエラー発生通知を受けると、履歴情報保持部５６が既にジョブ履歴情報を保持しているかどうかを確認する（Ｓ３１１）。履歴情報保持部５６がジョブ履歴情報を保持していない場合は、制御部４０が履歴情報管理部５２に指示し、履歴情報修正部５４に、現在発生しているエラーが解消された後、その他にエラーが発生することなしに印刷ジョブが終了することを仮定してジョブ履歴情報を生成させる（Ｓ３１２）。また、Ｓ３１１において、履歴情報保持部５６がジョブ履歴情報を保持している場合は、履歴情報管理部５２が履歴情報修正部５４に、現在発生しているエラーが解消された後、その他にエラーが発生することなしに印刷ジョブが終了することを仮定して、上記履歴情報保持部５６に保持されたジョブ履歴情報を修正させる（Ｓ３１３）。生成または修正後のジョブ履歴情報は、履歴情報修正部５４がを可逆圧縮し（Ｓ３１４）、圧縮後のジョブ履歴情報を履歴情報保持部５６に予測終了履歴情報として保持させる（Ｓ３１５）。
【００５５】
その後、制御部４０がエラー検出部５０からエラー解消通知を受け取ると（Ｓ３１６）、Ｓ３０１からの動作を繰り返す。
【００５６】
以上に述べた本発明にかかる印刷システムによれば、ジョブ生成装置１６において、印刷データの他に、印刷ジョブの実行がエラーの発生無しに正常終了することを仮定したジョブ履歴情報を生成して印刷装置１２に送信し、印刷ジョブの実行中にエラーが発生した場合のみ、履歴情報修正部５４が上記ジョブ生成装置１６が生成したジョブ履歴情報を修正するので、印刷装置１２におけるジョブ履歴情報の生成負荷を軽減することができる。
【００５７】
また、上記ジョブ履歴情報をジョブ生成装置１６で生成する際に、予め圧縮処理しておくことにより、印刷装置１２が画像展開処理中または印刷処理中に圧縮処理を行う必要がなくなるので、印刷装置１２の圧縮処理の負荷も軽減することができる。
【００５８】
以上により、本発明によれば、印刷装置の処理負担を軽減しつつジョブ履歴を生成、管理することができる印刷システムを実現できる。
【図面の簡単な説明】
【００５９】
【図１】本発明にかかる印刷システムの構成例のブロック図である。
【図２】本発明にかかるジョブ生成装置の各機能を表す機能ブロック図である。
【図３】本発明にかかる印刷装置の構成例のブロック図である。
【図４】本発明にかかる印刷装置の各機能を表す機能ブロック図である。
【図５】本発明にかかるジョブ生成装置の動作例のフロー図である。
【図６】本発明にかかる印刷装置における画像展開処理の動作例のフロー図である。
【図７】本発明にかかる印刷装置における画像展開処理の動作例のフロー図である。
【図８】本発明にかかる印刷装置における印刷処理の動作例のフロー図である。
【図９】本発明にかかる印刷装置における印刷処理の動作例のフロー図である。
【符号の説明】
【００６０】
１０  パーソナルコンピュータ、１２  印刷装置、１４  通信手段、１６  ジョブ生成装置、１８  制御部、２０  印刷データ生成部、２２  ジョブ履歴生成部、２４  データ送信部、２６  通信インターフェース、２８  画像形成装置、３０  ＣＰＵ、３２  ＲＯＭ、３４  ＲＡＭ、３６  不揮発性メモリ、３８  通信部、４０  制御部、４２  画像展開処理部、４４  画像記憶部、４６  印刷処理部、４８  画像形成部、５０  エラー検出部、５２  履歴情報管理部、５４  履歴情報修正部、５６  履歴情報保持部、５８  履歴記憶部。
【図１】
2007199788.tif 000003
【図２】
2007199788.tif 000004
【図３】
2007199788.tif 000005
【図４】
2007199788.tif 000006
【図５】
2007199788.tif 000007
【図６】
2007199788.tif 000008
【図７】
2007199788.tif 000009
【図８】
2007199788.tif 000010
【図９】
2007199788.tif 000011